(57)【要約】      （修正有）【課題】途中まで使用されたトイレットペーパに、同じく途中まで使用されたトイレットペーパを容易に巻き付けて、未使用のトイレットペーパと同じ巻厚みにする巻き取り装置を提供する。【解決手段】巻取用の使用途中トイレットペーパ４と巻取られ用の使用途中トイレットペーパ５を収納する筐体２と、巻取用のトイレットペーパ４に巻きつけるペーパの巻圧を調整する紙たるみゲート板３と、巻取られ用トイレットペーパ５が筐体２から浮き上がることを防止するロール巻取固さ調整板１０とを備え、ペーパを引き出したときに巻取られ用のトイレットペーパ５が時計回りに回転するように両トイレットペーパを収納し、巻取られ用のペーパを巻取用のトイレットペーパ４の上部まで引き出して、引き出したペーパとともに巻取用のトイレットペーパを反時計方向に回転させ、巻き付ける。【選択図】図１
0003202404.tif 000002
【実用新案登録請求の範囲】
【請求項１】
使用途中トイレットペーパに他の使用途中トイレットペーパのペーパを巻き付けて未使用のトイレットペーパと同じ巻厚みにするトイレットペーパ巻き取り装置において、
巻取用の使用途中トイレットペーパと巻取られ用の使用途中トイレットペーパとを平行に収納する底面が矩形の筐体と、
筐体の前面板に順次平行に収納された巻取用の使用途中トイレットペーパと巻取られ用の使用途中トイレットペーパとの間に平行に挿入され、巻取用の使用途中トイレットペーパに巻きつけるペーパの巻圧を調整する紙たるみゲート板と、
巻き取られる使用途中トイレットペーパが筐体から浮き上がることを防止するロール巻取固さ調整板と、
を備え、
筐体の右側面から見たとき、ペーパを引き出したときに時計回りに回転するように巻取用の使用途中トイレットペーパと巻取られ用の使用途中トイレットペーパとを収納し、巻取られ用の使用途中トイレットペーパのペーパを巻取用の使用途中トイレットペーパの上部まで引き出して、引き出したペーパとともに巻取り用の使用途中トイレットペーパを反時計方向に回転させることによって、巻取用の使用途中トイレットペーパに巻取られ用の使用途中トイレットペーパのペーパを巻き付けることを特徴とするトイレットペーパ巻き取り装置。
【請求項２】
巻取用の使用途中トイレットペーパを回転容易にするために、巻取用の使用途中トイレットペーパには、中央に軸を有する巻取軸ホルダが挿入されて回転自在に筐体に支持され、軸には手動回転用取手若しくは回転モータが接続されることを特徴とする請求項１に記載のトイレットペーパ巻き取り装置。
【考案の詳細な説明】
【技術分野】
【０００１】  本考案は、途中まで使ったトイレットペーパに、他の途中まで使ったトイレットペーパを巻きつけて、未使用のトイレットペーパと同じ巻厚みにするトイレットペーパ巻き取り装置である。
【背景技術】
【０００２】  トイレットペーパは一般に、径約４．５ｃｍ、長さ約１１．３ｃｍの紙製の芯筒に、幅約１１．３ｃｍの長尺の帯状薄紙を巻きつけて成り、トイレットペーパーホルダに装着して使用に供される。上記トイレットペーパは使用に伴って次第に長さが減少するが、長さを測定することは容易でないから、その直径寸法の減少状態を目視して残量の目安をつけるのが通例である。
【考案の概要】
【考案が解決しようとする課題】
【０００３】  ホテルや店舗、ビル等のトイレにおいては、トイレットペーパは１日数回清掃時に新しいものと取り換えられる。１日のトイレの清掃の回数は限りがあり、途中まで使用していたトイレットペーパをそのままにしておくと、清掃と清掃との間にトイレットペーパがなくなり、トイレが使用されてなくなる恐れがあるため、約半分以上使用されたトイレットペーパは清掃員により新たなトイレットペーパと取り換えられる。【０００４】  そのため、途中まで使用されたトイレットペーパが回収されることになる。回収されたトイレットペーパは、捨てずに、ホテルやビル管理者の事務員専用のトイレで使用される。しかし、途中まで使用されたトイレットペーパを使用するにあたって、巻き数が少ないため、トイレにセットされたトイレットペーパは何度も交換が必要となり、煩わしさを生じていた。
【課題を解決するための手段】
【０００５】  本考案のトイレットペーパ巻き取り装置は、使用途中トイレットペーパに他の使用途中トイレットペーパのペーパを巻き付けて未使用のトイレットペーパと同じ巻厚みにするトイレットペーパ巻き取り装置において、巻取用の使用途中トイレットペーパと巻取られ用の使用途中トイレットペーパとを平行に収納する底面が矩形の筐体と、筐体の前面板に順次平行に収納された巻取用の使用途中トイレットペーパと巻取られ用の使用途中トイレットペーパとの間に平行に挿入され、巻取用の使用途中トイレットペーパに巻きつけるペーパの巻圧を調整する紙たるみゲート板と、巻き取られる使用途中トイレットペーパが筐体から浮き上がることを防止するロール巻取固さ調整板と、を備え、筐体の右側面から見たとき、ペーパを引き出したときに時計回りに回転するように巻取用の使用途中トイレットペーパと巻取られ用の使用途中トイレットペーパとを収納し、巻取られ用の使用途中トイレットペーパのペーパを巻取用の使用途中トイレットペーパの上部まで引き出して、引き出したペーパとともに巻取り用の使用途中トイレットペーパを反時計方向に回転させることによって、巻取用の使用途中トイレットペーパに巻取られ用の使用途中トイレットペーパのペーパを巻き付けることを特徴とする。【０００６】    また、本考案のトイレットペーパ巻き取り装置は、巻取用の使用途中トイレットペーパを回転容易にするために、巻取用の使用途中トイレットペーパには、中央に軸を有する巻取軸ホルダが挿入されて回転自在に筐体に支持され、軸には手動回転用取手若しくは回転モータが接続されることを特徴とする。
【考案の効果】
【０００７】  本考案により、途中まで使用されたトイレットペーパ（以下「使用途中トイレットペーパ」という。）が未使用のトイレットペーパと同じくらいの巻き数に巻きなおすことができるため、頻繁なトイレットペーパの交換をすることが無くなる。【０００８】  また、使用途中トイレットペーパが未使用のトイレットペーパと同じくらいの巻き数となるため、本考案によって使用途中トイレットペーパを、清掃時に再使用することができ、使用途中トイレットペーパの有効利用を図ることができる。
【図面の簡単な説明】
【０００９】
【図１】本考案のトイレットペーパ巻き取り装置のペーパの巻き取り例を示した斜視図。
【図２】本考案のトイレットペーパ巻き取り装置の上面図。
【図３】本考案のトイレットペーパ巻き取り装置の右側面図。
【図４】本考案のトイレットペーパ巻き取り装置の前面図。
【考案を実施するための形態】
【００１０】  本考案のトイレットペーパ巻き取り装置１のペーパの巻き取り例を示した斜視図を図１に示す。トイレットペーパ巻き取り装置１には、約２ミリのアクリル板で構成された筐体２で構成されている。筐体２には、紙たるみゲート板３を挟んで巻取用の使用途中トイレットペーパ４と巻取られ用の使用途中トイレットペーパ５が挿入されている。
【００１１】  図２は、トイレットペーパ巻き取り装置１を上から見た上面図である。トイレットペーパ巻き取り装置１は、図左側に巻取用の使用途中トイレットペーパ４を保持する巻取軸ホルダ６を備えている。
【００１２】  巻取軸ホルダ６は、巻取用の使用途中トイレットペーパ４の中央穴部に挿入されるホルダ６ａとそのホルダ６ａを貫通する軸６ｂを備えている。また、紙たるみゲート板３を挟んで図右側に巻取られ用の使用途中トイレットペーパ５を挿入するための収納室７を有している。
【００１３】  図３は、トイレットペーパ巻き取り装置１の側面を示した図である。トイレットペーパ巻き取り装置１の側面は、およそ台形型を成し、図３に示すトイレットペーパ巻き取り装置１の左側に、上部から下部方向に巻取軸ホルダ６の両端の軸６ｂを支持するため、切り欠き８によってトイレットペーパ巻き取り装置１の上下中央部位置に軸受９が設けられている。巻取軸ホルダ６が挿入された巻取用の使用途中トイレットペーパ４が、トイレットペーパ巻き取り装置１の上部から切り欠き８に沿って挿入され、巻取用の使用途中トイレットペーパ４がトイレットペーパ巻き取り装置１に保持される。軸受９により巻取軸ホルダ６は、筐体２の前面板２ａ、底板２ｂ、紙たるみゲート板３のそれぞれから約６ｃｍの位置に設けられている。この６ｃｍの間隔は、巻取軸ホルダ６が挿入された巻取用の使用途中トイレットペーパ４が巻取られ用の使用途中トイレットペーパ５を巻き取った際、およそ未使用のトイレットペーパの巻厚さに相当する長さ（間隔）である。
【００１４】  紙たるみゲート板３は、底板２ｂから上面方向に約９ｃｍの高さを有して設けられている。紙たるみゲート板３は、その高さが高いほど、巻取用の使用途中トイレットペーパ４に巻きつけるトイレットペーパの巻圧が高くなり、高さを低くすると巻圧が低下し、軽く巻き取られる。
【００１５】  図３に示す筐体２の右側に、一端が底板２ｂに回動自在に接続されたロール巻取固さ調整板１０が設けられている。このロール巻取固さ調整板１０には三角形のおもり１０ａが接続されている。このロール巻取固さ調整板１０は、紙たるみゲート板３と同様に巻き取られるトイレットペーパの巻圧を調整するための板で、おもりが重いほど巻圧が高くなる。使用時には、巻き取られる使用途中トイレットペーパ５を押さえる方向、すなわち、図３では、左側に回動される。このロール巻取固さ調整板１０は巻圧を調整するのみならず、巻き取られる使用途中トイレットペーパ５が筐体２の上方に浮き上がることを防止する役割をも成す。
【００１６】  トイレットペーパ巻き取り装置１の使用方法について説明する。最初に、トイレットペーパ巻き取り装置１への巻取用使用途中トイレットペーパ４と巻取られ用の使用途中トイレットペーパ５の装着について説明する。
【００１７】  図３で示すように、巻取軸ホルダ６が挿入された巻取用使用途中トイレットペーパ４が巻かれたペーパが下側から引き出されるようにトイレットペーパ巻き取り装置１の上部から切り欠き８に沿って前面板２ａに対して平行になるように収納する。収納された巻取用使用途中トイレットペーパ４のペーパの端部を筐体２の前面板２ａの上部まで引き出す。
【００１８】  次に、巻取られ用使用途中トイレットペーパ５が巻かれたペーパが下側から引き出されるように、ペーパを巻取用使用途中トイレットペーパ４の上端部まで引き出した状態で、巻取られ用使用途中トイレットペーパ５を収納室７に前面板２ａに対して平行になるように収納する。さらに、ロール巻取固さ調整板１０を巻取られ用使用途中トイレットペーパ５の方に回動させて、巻取られ用使用途中トイレットペーパ５を固定する。
【００１９】  上述のように、トイレットペーパ巻き取り装置１の筐体２に巻取用使用途中トイレットペーパ４と巻取られ用使用途中トイレットペーパ５が収納された状態で、巻き取られ用使用途中トイレットペーパ５から引き出したペーパを巻取用使用途中トイレットペーパ４の上部に引き出した状態で、巻取用使用途中トイレットペーパ４に上部から手をかぶせる。この状態で、図３で表わされるように、巻取用使用途中トイレットペーパ４を巻取軸ホルダ６の軸６ｂを中心に反時計回りに回転させる。この回転により、巻き取られ用使用途中トイレットペーパ５のペーパが巻取用使用途中トイレットペーパ４に巻き取られ、巻厚みが６センチ、すなわち巻き取られたペーパが底板２ｂに触れた時点で、未使用のトイレットペーパと同じ巻厚みとなり、巻取作業が終了する。巻取が終了した巻取用使用途中トイレットペーパを筐体２から取り出し、巻取軸ホルダ６を引き抜き、作業が終了する。
【００２０】  図４は、トイレットペーパ巻き取り装置１の前面を示した前面図である。トイレットペーパ巻き取り装置１の筐体２から、巻取軸ホルダ６の軸６ｂが吐出しており、この部分に手動回転用取手や回転モータを接続し、巻取用使用途中トイレットペーパ４を回転させれば、より素早く巻取を行うことができる。
【符号の説明】
【００２１】    １．トイレットペーパ巻き取り装置
２．筐体
２ａ．前面板
２ｂ．底板
３．紙たるみゲート板
４．巻取用の使用途中トイレットペーパ
５．巻取られ用の使用途中トイレットペーパ
６．巻取軸ホルダ
６ａ．ホルダ
６ｂ．軸
７．収納室
８．切り欠き
９．軸受
１０．ロール巻取固さ調整板
【図１】
0003202404.tif 000003
【図２】
0003202404.tif 000004
【図３】
0003202404.tif 000005
【図４】
0003202404.tif 000006